(57)【要約】      （修正有）【課題】アート作品の作品複写物を壁掛け具の仕様に合わせて拡大または縮小して作成し、誰でも容易に作品を鑑賞できる壁掛け具を提供する。【解決手段】下端に凵形の折り曲げ部を形成した透明カバー１と作品複写物２と厚手の台紙３並びに厚紙に折り筋を入れて折り曲げ、前板、底板及び後板を凵形に形成した支持具５からなり、透明カバーと作品複写物と厚手の台紙の上部に横長のスリット４を施し、支持具の前板幅をスリット長さより長く、底板幅と後板幅をスリット長さより短く形成し、前板と後板の上部に穴６をあけ、透明カバーと作品複写物と厚手の台紙のスリットに支持具を挿通して底板で係止すると共に透明カバー下端の折り曲げ部に台紙を差し込んで保持する。【選択図】図１
0003220960.tif 000002
【実用新案登録請求の範囲】
【請求項１】
0003220960.tif 000014
バーと作品複写物と厚手の台紙の上部に横長のスリットを施し、支持具の前板幅をスリット長さより長く、底板幅と後板幅をスリット長さより短く形成し、前板と後板の上部に穴をあけ、透明カバーと作品複写物と厚手の台紙のスリットに支持具を挿通して底板で係止すると共に透明カバー下端の折り曲げ部に台紙を差し込んで保持することを特徴とする壁掛け具。
【請求項２】
用紙又は台紙に切り抜きを施して作品又は作品複写物を配置したことを特徴とする請求項１に記載する壁掛け具。
【考案の詳細な説明】
【技術分野】
【０００１】  本考案は、アート作品またはアート作品の複写物を壁に掛ける壁掛け具に関する。
【背景技術】
【０００２】  従来、アート作品（以下、作品と表記する）やアート作品の複写物（以下、作品複写物と表記する）を壁に掛けて観賞するには、作品又は作品複写物を額に入れて壁に掛けることが通例であった。また直接壁に貼り付けるなどしていた。近年は壁自体を傷つけたり汚したりすることが嫌われ、また作品を額装するとサイズが大きくなり敬遠されるようになっている。しかし、カラー出力機器の発達により、作品と遜色のない作品複写物を拡大または縮小して作れるようになった。作品をデジタルデータ化し解説などの文字データと合わせて出力すれば作品複写物と用紙を一体構造にすることが出来る。さらに透明なカバーを付けることで額装と同様な視覚効果を得る事が出来る。このため安価で軽量な壁掛け具を提供することが出来るので、容易に作品観賞が可能となる。
【先行技術文献】
【特許文献】
【０００３】
【特許文献１】特願２０１３−１２５０３９
【考案の概要】
【考案が解決しようとする課題】
【０００４】  従来の壁掛け具は、作品に合わせて額装するため額装の費用が高価になる欠点があり、また版画などを除くと作品自体が一点物であるので、誰もが気に入った作品を手元において観賞することが出来なかった。【０００５】  しかし、作品と殆ど遜色のない作品複写物を、壁掛け具の仕様に合わせて拡大または縮小して作成し、台紙と透明カバーで挟むようにして支持具で係止すれば、誰でも容易に観賞することができる。【０００６】
0003220960.tif 000003
上部にそれぞれスリットを施し、厚紙に折り筋を入れて折り曲げ、前板、底板及び後板を
0003220960.tif 000004
して底板で係止する壁掛け具を提供することを課題とする。
【課題を解決するための手段】
【０００７】
0003220960.tif 000005
形の折り曲げ部を形成した透明カバーと作品複写物と厚手の台紙並びに厚紙に折り筋を入
0003220960.tif 000006
複写物と厚手の台紙の上部に横長のスリットを施し、支持具の前板幅をスリット長さより長く、底板幅と後板幅をスリット長さより短く形成し、前板と後板の上部に穴をあけ、透明カバーと作品複写物と厚手の台紙のスリットに支持具を挿通して底板で係止すると共に透明カバー下端の折り曲げ部に台紙を差し込んで保持することを特徴とする壁掛け具である。【０００８】  第２の考案は、用紙又は台紙に切り抜きを施して作品又は作品複写物を配置したことを特徴とする請求項１に記載する壁掛け具である。
【考案の効果】
【０００９】  本考案による効果は、透明カバーと厚手の台紙で作品複写物を挟む形態であり、上部の
0003220960.tif 000007
差し込んで壁に掛けるので、上部下部ともに透明カバーと台紙で作品複写物を押さえ、作品複写物が湿気や乾燥により変形するのを防ぐ効果がある。さらに作品複写物の前に透明カバーを配するので、額装した場合と同様な視覚効果が得られる。また、壁掛け具の仕様に合わせた作品複写物を作るので、作品の大きさに影響されない。多くの作品を収蔵する場合でも、同一サイズの作品複写物を作れば取扱いが簡易になり、作品の商品化を容易に図れる。また図３に示すように支持具の前板幅Ｗ１をスリット幅Ｗより広く、底板幅及び後板幅Ｗ２をスリット幅Ｗより狭く形成するので、支持具を抜き差しして作品複写物の交換が容易にできる。【００１０】  スリットを施した用紙に作品又は作品複写物に合わせた切り抜きを施し作品又は作品複写物を貼り付けて、透明カバーと厚手の台紙の間に配置しても同様の効果を得ることが出来る。さらに厚手の台紙に切り抜きを施して作品又は作品複写物を貼り付けても良く、切り抜きの形状にはこだわらない。【００１１】  また、壁掛け具に係止する作品又は作品複写物は、絵、版画、イラスト、写真など多種多様な芸術作品から児童の作品でも良い。
【図面の簡単な説明】
【００１２】
【図１】  本考案の壁掛け具の構成図
【図２】  図１のＡ−Ａ’に於ける壁掛け具断面図
【図３】  本考案に用いる支持具の平面図
【図４】  透明カバーの平面図
【図５】  台紙と作品複写物を示す平面図
【図６】  切り抜きを施した用紙の平面図
【図７】  切り抜きを施し２つ折りする台紙の平面図
【考案を実施するための形態】
【００１３】  以下、本考案の実施の形態について、図面を参照して説明する。
図１に、本考案の壁掛け具で作品複写物を係止する実施形態の例を示す。図１は、下端
0003220960.tif 000008
支持具５からなり、透明カバー１と作品複写物２と厚手の台紙３の上部に横長のスリット４を施し、前板５ａ幅をスリット４長さより長く、底板５ｂ及び後板５ｃの幅をスリット４長さより短く形成し、前板５ａがスリット４を通過せず底板５ｂ及び後板５ｃがスリット４を通過し、前板５ａと後板５ｃの上部に穴６ａ、６ｂをあけた支持具５を透明カバー１と作品複写物２と厚手の台紙３のスリット４に挿通して底板５ｂで係止して保持することを特徴とする壁掛け具である。
【００１４】  図２に示すのは、図１に於けるＡ−Ａ’断面図である。図示のように、透明カバー１下端
0003220960.tif 000009
１と作品複写物２と厚手の台紙３に施したスリット４に、支持具５を挿通し底板５ｂで保持している状態である。
【００１５】  図３に示す支持具平面図におけるＷ１、Ｗ２は、図４と図５に示すＷとの関係において、Ｗ２＜Ｗ＜Ｗ１であり、底板５ｂ幅と後板５ｃの最大幅は共にＷ２である。また折り筋Ｓ
0003220960.tif 000010
５ｃと底板５ｂをスリット４に挿通できることを示すものである。前板５ａと後板５ｃの高さｈ１、ｈ２は、ｈ１≧ｈ２にすると良く、穴６ａと穴６ｂの位置を合わせてフックなどに掛けることができる。
【００１６】  図４に示すのは透明カバー１の平面図である。図中の折り曲げ部ＣＳ１と折り曲げ部Ｃ
0003220960.tif 000011
に形成しても良く、下端全長に形成しても良い。また形成する形状にはこだわらない。
【００１７】  図５に示すのは、作品複写物２の幅Ｗｓを厚手の台紙３の幅Ｗｄより縦横共に狭くしスリット４位置を合わせて重ねた平面図であるが、透明カバー１の横幅Ｗｃと作品複写物２の横幅Ｗｓと厚手の台紙３の横幅Ｗｄを、Ｗｃ≧Ｗｄ＞Ｗｓにすると良好な結果が得られる。また作品複写物２はデジタルデータ化し解説やサインなどのデータと共に用紙に出力することが出来る。
【００１８】  図６に示すのは、切り抜き１１を施した用紙１０の平面図である。用紙１０の上部にスリット４を施し切り抜き１１を施したものである。図示は省くが、この用紙１０は材質、色、切り抜きの形状が自由に選べるので、これを透明カバー１と作品複写物２の間に配置することで、多彩な壁掛け具が構成できる。
【００１９】  図７に示すのは、切り抜き９を施した台紙７の平面図である。図中の折り曲げ部８で２つ折りして、前台紙７ａと後台紙７ｂを構成し、前台紙７ａと後台紙７ｂの上部にスリットを施し、前台紙７ａに切り抜き９を施したものである。また台紙の厚さによっては折り曲げ部８には折り曲げ溝を施す必要がある。図示は省くが、この前台紙７ａと後台紙７ｂ
0003220960.tif 000012
差し込み透明カバー１で下部を押さえることが出来る。この切り抜き９と切り抜き１１は形状にこだわらない。
【符号の説明】
【００２０】  １    透明カバー
0003220960.tif 000013
ＣＳ１、ＣＳ２  透明カバー折り曲げ部
２    作品複写物を出力した用紙
２ａ  用紙部
２ｂ  作品複写物部
３    台紙
４    スリット
５    支持具
５ａ  支持具前板
５ｂ  支持具底板
５ｃ  支持具後板
６ａ  支持具前板穴
６ｂ  支持具後板穴
Ｓ１、Ｓ２  支持具折り筋
７    切り抜きを施した２つ折り台紙
７ａ  ２つ折り台紙の前台紙部
７ｂ  ２つ折り台紙の後台紙部
８    ２つ折り台紙折り曲げ部
９、１１    切り抜き
１０  切り抜きを施した用紙
【図１】
0003220960.tif 000015
【図２】
0003220960.tif 000016
【図３】
0003220960.tif 000017
【図４】
0003220960.tif 000018
【図５】
0003220960.tif 000019
【図６】
0003220960.tif 000020
【図７】
0003220960.tif 000021